(57)【特許請求の範囲】
【請求項１】
補修を行なうマンホール外周部の既存舗装材や既設の受枠を除去する受枠除去工程と、前記マンホールの開口部を覆う基板部と前記基板部の中央部上面に突設された円形カッター案内部と前記円形カッター案内部の上端部に着脱自在に配設される磁石部とを有する仮蓋を前記マンホールに覆設する仮蓋載置工程と、前記仮蓋上及び前記マンホール外周部に仮復旧材を充填し既存舗装材の表面を切削して舗装材でオーバーレイ舗装する切削オーバーレイ舗装工程と、磁気探知機により前記磁石部が配設された前記仮蓋の中心位置を検出する中心位置検出工程と、前記仮蓋の前記円形カッター案内部周辺の前記舗装材や前記仮復旧材を除去する中心部舗装除去工程と、前記仮蓋の前記磁石部を取り外し円形カッターの回動中心固定部を前記円形カッター案内部に回動自在に支持する円形カッター位置決め工程と、前記円形カッターにより前記マンホール外周の前記舗装材を切断して前記舗装材や前記仮復旧材を除去する外周部舗装切断除去工程と、を有することを特徴とする路面補修方法。
【請求項２】
補修を行なうマンホールの蓋の中央部上面に円形カッター案内部と前記円形カッター案内部の上端部に着脱自在に配設される磁石部とを有する中心位置決め具を着脱自在に固定する位置決め具固定工程と、前記蓋上及び前記マンホール周辺の既存舗装材上に舗装材でオーバーレイ舗装するオーバーレイ舗装工程と、磁気探知機により前記磁石部を有する前記中心位置決め具が配設された前記蓋の中心位置を検出する中心位置検出工程と、前記中心位置決め具の前記円形カッター案内部周辺の前記舗装材を除去する中心部舗装除去工程と、前記中心位置決め具の前記磁石部を取り外し円形カッターの回動中心固定部を前記円形カッター案内部に回動自在に支持する円形カッター位置決め工程と、前記円形カッターにより前記マンホール外周部の前記舗装材を切断して前記既存舗装材や既設の受枠を除去する受枠除去工程と、を有することを特徴とする路面補修方法。
【請求項３】
前記中心位置検出工程の前工程として、金属探知器により前記仮蓋又は前記蓋が覆設された前記マンホールの位置を検出するマンホール位置検出工程を有することを特徴とする請求項１又は２に記載の路面補修方法。
【請求項４】
前記仮蓋又は前記中心位置決め具の前記円形カッター案内部の長さ調整を行う案内高さ調整工程を有することを特徴とする請求項１乃至３の内いずれか１項に記載の路面補修方法。
【発明の詳細な説明】
【技術分野】
【０００１】
本発明は、道路に設置されたマンホールや情報ボックス等の蓋や受枠の交換時或いは受枠の高さ調整時などにおける既設の舗装の打ち換えを簡便かつ確実に行うことができる路面補修方法に関するものである。
【背景技術】
【０００２】
舗装道路に設置されるマンホールや情報ボックス等の周囲の舗装路面は、走行車両の振動の影響や経年劣化等によって陥没、沈下、クラックの発生、或いは破損等の劣化が生じ易く、舗装路面の補修作業が必要となる。また、マンホールや情報ボックス等の新設時やマンホールや情報ボックス等の蓋や受枠の交換持に、マンホールや情報ボックス等の周囲を掘削して埋め戻しを行う際には、周囲の舗装路面との高さ調整が必要となる。
そこで、受枠に阻害されることなく、段差のない舗装路面を得ることができる工法として、（特許文献１）のオーバーレイ工法や（特許文献２）の切削オーバーレイ工法が提案され、広く実施されている。
しかしながら、（特許文献１）、（特許文献２）では、蓋或いは仮蓋を一旦、オーバーレイ舗装によって覆った後に、受枠の外周部分の舗装を切断するので、オーバーレイ舗装で覆われた状態でマンホールの中心を探さなければならず、施工性に欠けるという問題点があった。
この（特許文献１）、（特許文献２）を改良したものとして、（特許文献３）には、「マンホール開口を閉塞する仮蓋またはマンホール蓋の上に施工した舗装を撤去してマンホールの位置を確認してから次の工程を行う舗装方法」が開示されている。
また、（特許文献２）を改良したものとして、（特許文献４）には、「仮蓋に連結手段を備え、表面舗設後の仮蓋及びその上部の舗装の撤去時に、連結手段の位置を確認し、仮蓋の上部の舗装にコア抜き治具で穴を開けて連結手段を露出させ、リフト用ロッドを穴に挿入してその先端を仮蓋の連結手段と連結し、また舗装面には仮蓋の外周を囲むようにリング状の押さえ枠を押し当て、この状態からリフト用ロッドを引き上げて仮蓋とともに押さえ枠の内側に沿った舗装を撤去する工程を含むことを特徴とするマンホールのある道路の舗設工法」が開示されている。
【特許文献１】特許第２６２３４９０号公報
【特許文献２】特許第２６２３４９１号公報
【特許文献３】特開２００４−６８５３９号公報
【特許文献４】特許第３３７８５５１号公報
【発明の開示】
【発明が解決しようとする課題】
【０００３】
しかしながら上記従来の技術では、以下のような課題を有していた。
（１）（特許文献１）、（特許文献２）には、オーバーレイ上から切断中心を特定するために金属探知器等の公知の探知手段を使用して内部の支持蓋の位置を確認することが記載されているが、これだけでは、マンホールの正確な中心位置を検出することはできず、円形カッターの回転中心を位置決め、固定することが困難で、施工性、信頼性に欠けるという課題を有していた。
（２）（特許文献３）では、舗装で覆われたマンホールの中心位置を目視で確認するので、安心してマンホール蓋受枠設置工事のための舗装撤去をおこなうことができるが、その中心位置を見つけるためには、道路側縁の３箇所の基点からマンホール中心までの距離を予め計測しておき、舗装完了後に３基点からの距離によって中心位置を割り出さなければならず、施工性に欠けるという課題を有していた。
また、中心固定装置の基板の中央に穴を設けることにより、切断前に中心位置の再確認を行うことができるが、中心固定装置は路面や仮蓋上に載置するだけのものであり、固定されていないため、切断作業時に位置ずれが発生する可能性があり、施工性、信頼性に欠けるという課題を有していた。
（３）（特許文献４）には、仮蓋に形成された連結手段の位置を外部に伝達するための位置伝達手段が配設されているが、仮蓋上部の舗装の厚みが増すと、位置伝達手段の検出精度が低下し易くなり、施工性に欠けるという課題を有していた。特に、位置伝達手段として永久磁石を用いた場合、永久磁石の近傍にある鉄製の仮蓋が磁気を帯びることにより、連結手段の位置を特定することが困難になって作業の効率性に欠けるという課題を有していた。
また、仮蓋及びその上部舗装の撤去に専用のリフターを使用するため、リフト用ロッドと連結するための連結手段が必要であり、仮蓋を使用する切削オーバーレイ工法にしか適用することができず、汎用性に欠けるという課題を有していた。
さらに、連結手段が仮蓋の下方に突出しているので、仮蓋の上方の舗装材を全て除去しなければ、連結手段を使用することができず、施工性に欠けるという課題を有していた。
【０００４】
本発明は、道路に設置されたマンホールや情報ボックス等の鉄蓋や受枠の交換時或いは受枠の高さ調整時などにおける既設の舗装の打ち換えを行う際に、一旦、オーバーレイ舗装によって覆われるマンホールや情報ボックス等の中心位置を簡便かつ確実に検出すると共に、円形カッターを案内して受枠周囲の舗装の切断、舗装を効率的に行うことができる施工性、汎用性に優れた路面補修方法の提供を目的とする。
【課題を解決するための手段】
【０００５】
上記課題を解決するために本発明の路面補修方法は、以下の構成を有している。
本発明の請求項１に記載の路面補修方法は、補修を行なうマンホール外周部の既存舗装材や既設の受枠を除去する受枠除去工程と、前記マンホールの開口部を覆う基板部と前記基板部の中央部上面に突設された円形カッター案内部と前記円形カッター案内部の上端部に着脱自在に配設される磁石部とを有する仮蓋を前記マンホールに覆設する仮蓋載置工程と、前記仮蓋上及び前記マンホール外周部に仮復旧材を充填し既存舗装材の表面を切削して舗装材でオーバーレイ舗装する切削オーバーレイ舗装工程と、磁気探知機により前記磁石部が配設された前記仮蓋の中心位置を検出する中心位置検出工程と、前記仮蓋の前記円形カッター案内部周辺の前記舗装材や前記仮復旧材を除去する中心部舗装除去工程と、前記仮蓋の前記磁石部を取り外し円形カッターの回動中心固定部を前記円形カッター案内部に回動自在に支持する円形カッター位置決め工程と、前記円形カッターにより前記マンホール外周の前記舗装材を切断して前記舗装材や前記仮復旧材を除去する外周部舗装切断除去工程と、を備えている構成を有している。
この構成により、以下のような作用を有する。
（１）マンホールの開口部を覆う基板部と基板部の中央部上面に突設された円形カッター案内部と円形カッター案内部の上端部に着脱自在に配設される磁石部とを有する仮蓋をマンホールに覆設する仮蓋載置工程を有することにより、後工程の中心位置検出工程において磁気探知機で磁石部が配設された仮蓋の中心位置を簡便かつ正確に検出することができ、施工性に優れる。
（２）中心部舗装除去工程により、仮蓋の円形カッター案内部周辺の舗装材や仮復旧材を除去することができ、後工程の円形カッター位置決め工程において、仮蓋の磁石部を取り外し、円形カッターの回動中心固定部を円形カッター案内部に回動自在に支持することができるので、位置ずれを発生させることなく、円形カッター案内部で確実に円形カッターを案内することができ、外周部舗装切断除去工程を精度よく行うことができ、信頼性に優れる。
【０００６】
ここで、受枠除去工程は、マンホール外周部の既存舗装材や既設の受枠、調整コンクリートなどを除去することができればよく、ブレーカによる破砕や円形カッターによる切断のほか、油圧ジャッキによってマンホールの蓋や受枠と既存舗装材を一体的に剥ぎ取る方法、円筒型切断機でマンホール周囲を円形に切断する方法などを用いることができる。
円形カッター（例えば特許第３８９３３６７号）は、略截頭円錐状等に形成された回転刃の回転軸を回動中心に配向するように連結させて回転刃を回動させるものが好適に用いられる。
仮蓋の円形カッター案内部と円形カッターの回動中心固定部とは互いに回動自在に支持される形状であればよい。円形カッター案内部に嵌合孔を穿設し、円形カッターのアーム部に突設した円柱状の回動中心固定部を嵌入してもよいし、円柱状に形成した円形カッター案内部を円形カッターのアーム部に穿設した孔状の回動中心固定部に挿通してもよい。また、円形カッター案内部に穿設した嵌合孔とアーム部に穿設した孔状の回動中心固定部に円柱状の別部材を挿通して連結し、回動させることもできる。
【０００７】
円形カッター案内部と磁石部は、着脱自在であればよい。円形カッター案内部を着磁性を有する金属で形成し、磁力によって磁石部を固定してもよいし、磁石部と円形カッター案内部にそれぞれ雄ねじと雌ねじを形設して螺着してもよい。
仮蓋の材質は、上方に充填される仮復旧材やオーバーレイ舗装される舗装材の重量に耐えられるものであればよい。仮蓋を金属製にした場合、磁気探知機による中心位置検出工程を行う前に、金属探知器によって、おおよその仮蓋の位置を検出することができ、中心位置検出工程に要する時間を短縮することができ、施工性に優れる。尚、磁性体製の仮蓋を用いる場合、磁石部の磁力によって仮蓋が磁気を帯びると、中心位置検出工程において磁気探知機を用いる際に、仮蓋の中心位置となる磁石部の位置を正確に検出することが困難になるので、円形カッター案内部を非磁性体で形成するか、磁石部と円形カッター案内部の間や円形カッター案内部と仮蓋の間に合成樹脂製のシートや金属板などで形成された非磁性体を挟むことが好ましい。
【０００８】
外周部舗装切断除去工程では、マンホール外周部の舗装材や仮復旧材を除去してから仮蓋を除去してもよいし、舗装材や仮復旧材と共に仮蓋を一度にまとめて除去してもよい。
外周部舗装切断除去工程の終了後は、従来と同様に、新たな受枠を高さ調整して設置する受枠設置工程、受枠の外周部を路盤材や舗装材などの補修材で補修し、周辺の舗装と一体化させる受枠外周舗装工程を行い、路面の補修作業が完了する。
尚、仮復旧材としては、舗装材のみを用いてもよいし、舗装材と路盤材を組み合わせて用いてもよい。舗装材としては、常温本舗装材、常温仮舗装材、加熱合材が用いられ、路盤材としては、土、砕石、スラグなどを転圧するものやモルタルなどを打設するものが用いられる。
【０００９】
本発明の請求項２に記載の路面補修方法は、補修を行なうマンホールの蓋の中央部上面に円形カッター案内部と前記円形カッター案内部の上端部に着脱自在に配設される磁石部とを有する中心位置決め具を着脱自在に固定する位置決め具固定工程と、前記蓋上及び前記マンホール周辺の既存舗装材上に舗装材でオーバーレイ舗装するオーバーレイ舗装工程と、磁気探知機により前記磁石部を有する前記中心位置決め具が配設された前記蓋の中心位置を検出する中心位置検出工程と、前記中心位置決め具の前記円形カッター案内部周辺の前記舗装材を除去する中心部舗装除去工程と、前記中心位置決め具の前記磁石部を取り外し円形カッターの回動中心固定部を前記円形カッター案内部に回動自在に支持する円形カッター位置決め工程と、前記円形カッターにより前記マンホール外周部の前記舗装材を切断して前記既存舗装材や既設の受枠を除去する受枠除去工程と、を備えている構成を有している。
この構成により、以下のような作用を有する。
（１）補修を行なうマンホールの蓋の中央部上面に円形カッター案内部と円形カッター案内部の上端部に着脱自在に配設される磁石部とを有する中心位置決め具を着脱自在に固定する位置決め具固定工程を有することにより、後工程の中心位置検出工程において磁気探知機で磁石部を有する中心位置決め具が配設された蓋の中心位置を簡便かつ正確に検出することができ、施工性に優れる。
（２）中心部舗装除去工程により、中心位置決め具の円形カッター案内部周辺の舗装材を除去することができ、後工程の円形カッター位置決め工程において、中心位置決め具の磁石部を取り外し、円形カッターの回動中心固定部を円形カッター案内部に回動自在に支持することができるので、位置ずれを発生させることなく、円形カッター案内部で確実に円形カッターを案内することができ、受枠除去工程において、既設のマンホール外周部の舗装材を確実に切断し、既存舗装材や既設の受枠、調整コンクリートなどを除去することができ、信頼性に優れる。
（３）位置決め具固定工程で用いる中心位置決め具を既存のマンホールの蓋に着脱自在に固定することができるので、既存のマンホールの蓋に改造を施すことなく、そのまま利用することができ、省資源性、施工性に優れる。
【００１０】
ここで、請求項２が請求項１と異なるのは、仮蓋の代わりに、既存のマンホールの蓋に中心位置決め具を着脱自在に固定して使用している点であり、仮蓋の円形カッター案内部及び磁石部と、中心位置決め具の円形カッター案内部及び磁石部は、同様のものが好適に用いられる。
また、受枠除去工程後に行う受枠設置工程や受枠外周舗装工程も請求項１で説明したものと同様である。
中心位置決め具は、マンホールの蓋に着脱自在に固定できるものであればよく、円形カッター案内部の底部に固定用磁石を配設して蓋に磁着してもよいし、両面テープで貼着してもよい。
【００１１】
請求項３に記載の発明は、請求項１又は２に記載の路面補修方法であって、前記中心位置検出工程の前工程として、金属探知器により前記仮蓋又は前記蓋が覆設された前記マンホールの位置を検出するマンホール位置検出工程を備えている構成を有している。
この構成により、請求項１又は２の作用に加え、以下のような作用を有する。
（１）中心位置検出工程の前工程として、金属探知器により仮蓋又は蓋が覆設されたマンホールの位置を検出するマンホール位置検出工程を有することにより、マンホール位置検出工程でおおよその仮蓋又は蓋の位置を検出した上で、中心位置検出工程を行うことができるので、磁気探知機による探査範囲を絞り込むことができ、中心位置検出工程に要する時間を大幅に短縮することができ、施工性に優れる。
【００１２】
請求項４に記載の発明は、請求項１乃至３の内いずれか１項に記載の路面補修方法であって、前記仮蓋又は前記中心位置決め具の前記円形カッター案内部の長さ調整を行う案内高さ調整工程を備えている構成を有している。
この構成により、請求項１乃至３の内いずれか１項の作用に加え、以下のような作用を有する。
（１）仮蓋又は中心位置決め具の円形カッター案内部の長さ調整を行う案内高さ調整工程を有することにより、仮復旧材やオーバーレイ舗装された舗装材の厚さに応じて磁石部の高さ方向の位置を調整して磁石部の検出精度を確保でき、中心部舗装除去工程で除去する舗装材や仮復旧材の量を最低限に抑えることができ、作業の効率性、施工性に優れる。
（２）仮復旧材やオーバーレイ舗装された舗装材の厚さが薄く、円形カッター案内部に十分な長さがない場合でも、中心部舗装除去工程の後に案内高さ調整工程を行うことにより、円形カッター位置決め工程において、円形カッターの回動中心固定部を確実に案内することができ、施工性、汎用性に優れる。
【００１３】
ここで、円形カッター案内部は長さ調整できるものであればよく、円筒状の部材を摺動させて伸縮するもの、ねじ止めや嵌合などにより延長部材を着脱するものなどが好適に用いられる。また、水道工事などで使用する携帯型ねじ切り旋盤等で長さを合わせた管にねじを切って使用することもできる。
【００１４】
マンホールが配設された道路の路面補修方法に用いる仮蓋が、マンホールの開口部を覆う基板部と、基板部の中央部上面に突設された円形カッター案内部と、円形カッター案内部の上端部に着脱自在に配設された磁石部と、を備えている場合、以下のような作用を有する。
（１）円形カッター案内部が基板部の中央部上面に突設され、その上端部に磁石部が配設されているので、基板部と磁石部の距離を離すことができ、中心位置検出工程で磁気探知機を用いる際に、基板部が金属製の場合であっても、検出精度に悪影響を与えることがなく、確実に磁石部が配設された仮蓋の中心位置を検出することができ、位置検出の信頼性に優れる。
（２）円形カッター案内部が仮蓋の基板部の中央部上面に突設されているので、中心部舗装除去工程においては、オーバーレイ舗装された舗装材の表面側を僅かに削り取るだけで円形カッター案内部の位置を特定することができ、除去する舗装材の量を低減することができ、省力性、施工性に優れる。
（３）円形カッター案内部に円形カッターの円柱状の回動中心固定部を嵌入する嵌合孔を穿設した場合、円形カッター案内部の上端部に配設される磁石部で嵌合孔を塞ぐことができ、切削オーバーレイ舗装工程における舗装材や仮復旧材によって嵌合孔が閉塞されることを防止でき、取り扱い性に優れると共に、円形カッター案内部の先端部を露出させただけで円形カッターの回動中心固定部を嵌合孔に嵌入して円形カッター位置決め工程を行うことができ、中心部舗装除去工程で除去する舗装材や仮復旧材の量を最小限に止めることができ、省力性、施工性に優れる。
【００１５】
仮蓋が、基板部に形成又は配設された把手部若しくは基板部に形設され着脱式把手部が固定される把手取付部を備えている場合、以下のような作用を有する。
（１）基板部に形成又は配設された把手部又は基板部に形設され着脱式把手部が固定される把手取付部を有することにより、外周部舗装切断除去工程の終了後に、把手部又は把手取付部に固定された着脱式把手部にワイヤーやロープなどを挿通したりフックを掛け止めしたりして、クレーンなどの機械によって簡便に仮蓋を吊り上げ、撤去作業を行うことができ、省力性、作業の効率性に優れる。
【００１６】
把手部及び着脱式把手部は、ワイヤーやロープなどを挿通するための挿通孔を有するものやフックを掛け止めするための係止部を有するものなどが好適に用いられる。把手取付部としては、雄ねじ又は雌ねじが形設されているものが好適に用いられる。着脱式把手部の基部に形設された雌ねじ又は雄ねじと螺合させることにより、確実かつ強固に固定できるためである。
基板部に着脱式把手部が固定される把手取付部を形設した場合、仮蓋載置工程で仮蓋を載置する際には、着脱式把手部は取り付けても取り付けなくてもよい。尚、把手部や着脱式把手部は、仮蓋載置工程を行う際にも利用することができ、特にクレーンなどの機械を使用すれば省力性、作業性に優れる。また、仮蓋載置工程で利用した着脱式把手部は、切削オーバーレイ舗装工程の前に取り外すことができ、中心部舗装除去工程で舗装材や仮復旧材を除去する際に、着脱式把手部が邪魔になることがなく、施工性に優れる。
【００１７】
仮蓋が、基板部の表面中央部又は円形カッター案内部に把手部又は把手取付部の位置を示すマーカを備えている場合、以下のような作用を有する。
（１）基板部の表面中央部又は円形カッター案内部に把手部又は把手取付部の位置を示すマーカを有することにより、中心位置検出工程で仮蓋の中心位置を検出した後、中心部舗装除去工程で円形カッター案内部周辺の舗装材や仮復旧材を除去すれば、マーカを確認することができ、把手部又は把手取付部の位置を容易に見つけることができ、取り扱い性に優れる。
（２）マーカに従って短時間で把手部又は把手取付部を掘り出すことができ、外周部舗装切断除去工程において、仮蓋上の全ての舗装材や仮復旧材を除去しなくても、把手部又は把手取付部に取り付けた着脱式把手部を利用して仮蓋を吊り上げることができ、外周部舗装切断除去工程に要する時間を短縮することができ、施工性に優れる。
【００１８】
把手部又は把手取付部は、仮蓋を均等に吊り上げるために、２つ以上、設けることが好ましい。マーカは把手部又は把手取付部の位置（方向）を示すものであればよい。基板部の表面中央部（円形カッター案内部の根元部）又は円形カッター案内部の外周面に、把手部又は把手取付部の位置（方向）に合わせて、凸部、凹部、切り欠きなどを形成したものや矢印などが印刷されたシールを貼着したものなどが好適に用いられる。
【発明の効果】
【００１９】
以上のように、本発明の路面補修方法によれば、以下のような有利な効果が得られる。
請求項１に記載の発明によれば、以下のような効果を有する。
（１）仮蓋の円形カッター案内部に配設された磁石部によって仮蓋の中心位置を簡便かつ正確に検出することができると共に、円形カッター案内部をそのまま利用して位置ずれを発生させることなく円形カッターを案内することができ、マンホールの受枠の外周部を無駄なく効率的に切断、除去することができ、マンホール外周部に段差のない高品質な舗装を行うことができる施工性、省力性、信頼性に優れた路面補修方法を提供することができる。
【００２０】
請求項２に記載の発明によれば、以下のような効果を有する。
（１）マンホールの蓋に着脱自在に配設された中心位置決め具の磁石部によって蓋の中心位置を簡便かつ正確に検出することができると共に、中心位置決め具の円形カッター案内部をそのまま利用して位置ずれを発生させることなく円形カッターを案内することができ、マンホールの受枠の外周部を無駄なく効率的に切断、除去することができ、マンホール外周部に段差のない高品質な舗装を行うことができる施工性、省力性、信頼性に優れた路面補修方法を提供することができる。
【００２１】
請求項３に記載の発明によれば、請求項１又は２の効果に加え、以下のような効果を有する。
（１）マンホール位置検出工程でおおよその仮蓋又は蓋の位置を検出した上で、中心位置検出工程を行うことにより、磁気探知機による探査範囲を絞り込むことができ、短時間で仮蓋又は蓋の中心位置を検出することができ、工数を大幅に低減できる生産性、施工性に優れた路面補修方法を提供することができる。
【００２２】
請求項４に記載の発明によれば、請求項１乃至３の内いずれか１項の効果に加え、以下のような効果を有する。
（１）オーバーレイ舗装された舗装材や仮復旧材の厚さに応じて案内高さ調整工程で磁石部の高さ方向の位置を調整して磁石部の検出精度を確保でき、中心部舗装除去工程で除去する舗装材や仮復旧材の量を最低限に抑えることができ、作業の効率性、施工性に優れると共に、円形カッター位置決め工程において、円形カッターの回動中心固定部を確実に案内することができる汎用性に優れた路面補修方法を提供することができる。
【発明を実施するための最良の形態】
【００２３】
（実施の形態１）
以下、本発明の実施の形態１における路面補修方法について、以下図面を参照しながら説明する。
図１（ａ）は実施の形態１における路面補修方法の受枠除去工程後の状態を示す断面模式図であり、図１（ｂ）は実施の形態１における路面補修方法の切削オーバーレイ舗装工程の仮復旧材充填工程後の状態を示す断面模式図であり、図１（ｃ）は実施の形態１における路面補修方法の切削オーバーレイ舗装工程の切削工程後の状態を示す断面模式図であり、図２（ａ）は実施の形態１における路面補修方法の切削オーバーレイ舗装工程のオーバーレイ舗装工程後の状態を示す断面模式図であり、図２（ｂ）は実施の形態１における路面補修方法の円形カッター位置決め工程後の状態を示す断面模式図であり、図３（ａ）は実施の形態１における路面補修方法の外周部舗装切断除去工程後の状態を示す断面模式図であり、図３（ｂ）は実施の形態１における路面補修方法の受枠設置工程後の状態を示す断面模式図であり、図３（ｃ）は実施の形態１における路面補修方法の受枠外周舗装工程後の状態を示す断面模式図である。
図１（ａ）中、１は路面に形成されたマンホール、１ａはマンホール１の開口部、２は内壁が傾斜して形成され地中に埋設されたマンホール１のコンクリートブロック、３はコンクリートブロック２が埋設された路盤部、４は実施の形態１における路面補修方法によって補修される路面の既存舗装材、４ａはマンホール１の外周部の既存舗装材４を円形カッターで切断して既存舗装材４と既設のマンホール１の受枠や蓋を撤去した後の受枠撤去孔である。
まず、受枠除去工程において、補修を行うマンホール１の外周部の既存舗装材４を円形カッターで切断し、既存舗装材４、受枠、蓋を除去する。
受枠除去工程では、円形カッターによる切断のほか、ブレーカによる破砕、油圧ジャッキによってマンホール１の蓋や受枠と既存舗装材４を一体的に剥ぎ取る方法、円筒型切断機でマンホール１の周囲を円形に切断する方法などを用いることができる。
【００２４】
図１（ｂ）中、５はマンホール１の開口部１ａに覆設された仮蓋、６はマンホール１の開口部１ａを覆う仮蓋５の基板部、７は基板部６の中央部上面に突設された仮蓋５の円形カッター案内部、７ａは円形カッター案内部７に穿設された嵌合孔、８は円形カッター案内部７の上端部に着脱自在に配設された仮蓋５の磁石部、１０は受枠撤去孔４ａ内の仮蓋５上及びマンホール１外周部に充填された路盤材や舗装材などの仮復旧材である。
図１（ａ）の受枠除去工程の終了後、図１（ｂ）に示すように、仮蓋載置工程において、マンホール１の開口部１ａに仮蓋５を載置する。
次に、切削オーバーレイ舗装工程の仮復旧材充填工程において、仮蓋５上及びマンホール１外周部を仮復旧材１０で復旧する。
次に、図１（ｃ）に示すように、切削オーバーレイ舗装工程の切削工程において、既存舗装材４及び仮復旧材１０の表面を切削する。
【００２５】
図２（ａ）中、１１は切削された既存舗装材４及び仮復旧材１０の表面にオーバーレイ舗装された舗装材である。
図１（ｃ）の切削工程の終了後、図２（ａ）に示すように、切削オーバーレイ舗装工程のオーバーレイ舗装工程において、既存舗装材４及び仮復旧材１０の表面を舗装材１１でオーバーレイ舗装する。
本実施の形態で用いた仮蓋５は、円形カッター案内部７に円形カッターの回動中心固定部を嵌入するための嵌合孔７ａが穿設されているが、円形カッター案内部７の上端部に配設された磁石部８で嵌合孔７ａを塞ぐことができるので、切削オーバーレイ舗装工程における舗装材１１や仮復旧材１０によって嵌合孔７ａが閉塞されることを防止でき、取り扱い性に優れる。
【００２６】
次に、マンホール位置検出工程において、金属探知器により仮蓋５が覆設されたマンホール１の位置を検出した後、中心位置検出工程において、磁気探知機により磁石部８が配設された仮蓋５の中心位置を検出する。
本実施の形態で用いた仮蓋５は、円形カッター案内部７が基板部６の中央部上面に突設され、その上端部に磁石部８が配設されているので、基板部６と磁石部８の距離を離すことができ、中心位置検出工程で磁気探知機を用いる際に、基板部６が金属製の場合であっても、検出精度に悪影響を与えることがなく、確実に磁石部８が配設された仮蓋５の中心位置を検出することができ、位置検出の信頼性に優れる。
【００２７】
図２（ｂ）中、１２は仮蓋５の円形カッター案内部７周辺の舗装材１１や仮復旧材１０を除去した後の中心部舗装除去孔、３０はマンホール１外周部の舗装材１１を切断する円形カッター、３１は円形カッター３０に配設された略截頭円錐状の回転刃、３２は円形カッター３０の本体から水平方向に張り出したアーム部、３２ａはアーム部３２の自由端側から下方に穿設され円形カッター案内部７の嵌合孔７ａに挿通された円柱状の回動中心固定部である。
中心位置検出工程の終了後、中心部舗装除去工程において、円形カッター案内部７周辺の舗装材１１や仮復旧材１０を除去する。
本実施の形態で用いた仮蓋５は、円形カッター案内部７が基板部６の中央部上面に突設されているので、中心部舗装除去工程においては、オーバーレイ舗装された舗装材１１の表面側を僅かに削り取るだけで円形カッター案内部７の位置を特定することができ、除去する舗装材１１の量を低減することができ、省力性、施工性に優れる。
【００２８】
次に、円形カッター位置決め工程において、仮蓋５の磁石部８を取り外し円形カッター３０の回動中心固定部３２ａを円形カッター案内部７の嵌合孔７ａに挿通して回動自在に支持する。
円形カッター案内部７に嵌合孔７ａが穿設されているので、円形カッター案内部７の先端部を露出させただけで円形カッター３０の回動中心固定部３２ａを嵌合孔７ａに嵌入して円形カッター位置決め工程を行うことができ、施工性に優れる。
【００２９】
図３（ａ）中、１０ａはマンホール１外周部の舗装材１１や仮復旧材１０を除去した後の外周部舗装除去孔である。
円形カッター位置決め工程の終了後、外周部舗装切断除去工程において、円形カッター案内部７を中心に円形カッター３０を回転させ、マンホール１外周部の舗装材１１を切断して舗装材１１や仮復旧材１０及び仮蓋５を除去する。
尚、外周部舗装切断除去工程では、マンホール１外周部の舗装材１１や仮復旧材１０を除去してから仮蓋５を除去してもよいし、舗装材１１や仮復旧材１０と共に仮蓋５を一度にまとめて除去してもよい。
【００３０】
図３（ｂ）中、１３はコンクリートブロック２の上面に配設された環状の調整コンクリート、１４は調整コンクリート１３の上部に樹脂モルタルや無収縮モルタル等で舗装材１１の表面と面一になるように高さ調整されて配設された新しい受枠である。
外周部舗装切断除去工程の終了後、受枠設置工程において、コンクリートブロック２の上面に環状の調整コンクリート１３を配設した後、調整コンクリート１３の上部に樹脂モルタルや無収縮モルタル等で高さ調整を行い、舗装材１１の表面と面一になるように新しい受枠１４を配設する。
【００３１】
図３（ｃ）中、１５は外周部舗装除去孔１０ａ内の調整コンクリート１３や受枠１４の外周部に充填、転圧され、周辺の舗装材１１と一体化された路盤材や舗装材などの補修材、１６は受枠１４に覆設された新しい蓋である。
受枠設置工程の終了後、受枠外周舗装工程において、外周部舗装除去孔１０ａ内の調整コンクリート１３や受枠１４の外周部に路盤材や舗装材などの補修材１５を充填、転圧し、周辺の舗装材１１と一体化させて路面の補修作業が完了する。
【００３２】
次に、本発明の実施の形態１における路面補修方法で用いる仮蓋の変形例について、以下図面を参照しながら説明する。
図４は実施の形態１における路面補修方法で用いる仮蓋の第１の変形例を示す断面模式図である。
図４中、第１の変形例の仮蓋５ａが仮蓋５と異なる点は、基板部６にアイボルトを用いた着脱式把手部６ｂが固定される雌ねじ状の把手取付部６ａが形設されている点と、円形カッター案内部７の外周部に把手取付部６ａの位置（方向）を示す突起状のマーカ９を備えている点である。把手取付部６ａと着脱式把手部６ｂがねじ止めにより強固に固定されているので、仮蓋５ａを吊り上げて撤去作業を行う際に、着脱式把手部６ｂが外れ難く、作業の安全性、信頼性に優れる。
尚、仮蓋載置工程では、着脱式把手部６ｂは取り付けても取り付けなくてもよい。着脱式把手部６ｂを取り付けない場合は、仮蓋５ａの表面にシート材や板材を覆設するか、把手取付部６ａに弾性部材を嵌入或いは蓋部材を螺着するなどして把手取付部６ａを閉塞し、仮復旧材１０が侵入しないようにする。また、仮蓋載置工程で利用した着脱式把手部６ｂは、切削オーバーレイ舗装工程の前に取り外すことができ、中心部舗装除去工程で舗装材１１や仮復旧材１０を除去する際に、着脱式把手部６ｂが邪魔になることがなく、施工性に優れる。
【００３３】
図５（ａ）は実施の形態１における路面補修方法で用いる仮蓋の第２の変形例を示す平面模式図であり、図５（ｂ）は図５（ａ）のＡ−Ａ線矢視端面図である。
図５中、第２の変形例の仮蓋５ｂが仮蓋５ａと異なる点は、基板部６に把手部６ｃが突設されている点と、基板部６の表面中央部（円形カッター案内部７の根元付近）に把手部６ｃの位置（方向）を示す矢印状のマーカ９ａを備えている点である。
仮蓋５ａ，５ｂによれば、外周部舗装切断除去工程の終了後に、把手取付部６ａに固定された着脱式把手部６ｂや基板部６に形成された把手部６ｃにワイヤーやロープなどを挿通したりフックを掛け止めしたりして、クレーンなどの機械によって簡便に仮蓋５ａ，５ｂの吊り上げ、撤去作業を行うことができ、省力性、作業の効率性に優れる。
着脱式把手部６ｂや把手部６ｃは、仮蓋載置工程を行う際にも利用することができ、特にクレーンなどの機械を使用すれば省力性、作業性に優れる。
尚、着脱式把手部６ｂや把手部６ｃの形状はこれらに限定されるものではなく、ワイヤーやロープなどを挿通するための挿通孔やフックを掛け止めするための係止部を有するものであればよい。把手部６ｃは溶接やねじ止めなどによって基板部６に固定することができる。把手部６ｃを基板部６に対して回動或いは摺動自在に取り付け、埋設時に把手部６ｃが基板部６の表面から突出しないようにした場合、中心部舗装除去工程で舗装材１１や仮復旧材１０を除去する際に、把手部６ｃが邪魔になることがなく、施工性に優れる。
【００３４】
また、仮蓋５ａ，５ｂによれば、中心位置検出工程で仮蓋５ａ，５ｂの中心位置を検出した後、中心部舗装除去工程で円形カッター案内部７周辺の舗装材１１や仮復旧材１０を除去した際に、円形カッター案内部７の外周部に突設されたマーカ９や基板部６の表面中央部に形設されたマーカ９ａにより、把手取付部６ａや把手部６ｃの位置（方向）を簡便に知ることができる。これにより、外周部舗装切断除去工程において、仮蓋５ａ，５ｂ上の舗装材１１や仮復旧材１０を全て除去しなくても、把手取付部６ａに取り付けた着脱式把手部６ｂや把手部６ｃを利用して仮蓋５ａ，５ｂを吊り上げることができ、外周部舗装切断除去工程に要する時間を短縮することができ、施工性に優れる。
尚、把手取付部６ａ又は把手部６ｃは、仮蓋５ａ，５ｂを均等に吊り上げるために、２つ以上、設けることが好ましい。また、マーカ９，９ａは把手取付部６ａ又は把手部６ｃの位置（方向）を示すものであればよく、基板部６の表面中央部（円形カッター案内部７の根元部）や円形カッター案内部７の外周面に、把手取付部６ａ又は把手部６ｃの位置（方向）に合わせて、凸部、凹部、切り欠きなどを形成したものや矢印などが印刷されたシールを貼着したものなどを用いることができる。
【００３５】
実施の形態１の路面補修方法は以上のように構成されているので以下の作用を有する。
（１）マンホール１の開口部１ａを覆う基板部６と基板部６の中央部上面に突設された円形カッター案内部７と円形カッター案内部７の上端部に着脱自在に配設された磁石部８とを有する仮蓋５（５ａ，５ｂ）をマンホール１に覆設する仮蓋載置工程を有することにより、後工程の中心位置検出工程において磁気探知機で磁石部８が配設された仮蓋５（５ａ，５ｂ）の中心位置を簡便かつ正確に検出することができ、施工性に優れる。
（２）中心部舗装除去工程により、仮蓋５（５ａ，５ｂ）の円形カッター案内部周辺の舗装材１１や仮復旧材１０を除去することができ、後工程の円形カッター位置決め工程において、仮蓋５（５ａ，５ｂ）の磁石部８を取り外し、円形カッター３０の回動中心固定部３２ａを円形カッター案内部７に回動自在に支持することができるので、位置ずれを発生させることなく、円形カッター案内部７で確実に円形カッター３０を案内することができ、外周部舗装切断除去工程を精度よく行うことができ、信頼性に優れる。
（３）中心位置検出工程の前工程として、金属探知器により仮蓋５（５ａ，５ｂ）が覆設されたマンホール１の位置を検出するマンホール位置検出工程を有することにより、マンホール位置検出工程でおおよその仮蓋５（５ａ，５ｂ）の位置を検出した上で、中心位置検出工程を行うことができるので、磁気探知機による探査範囲を絞り込むことができ、中心位置検出工程に要する時間を大幅に短縮することができ、施工性に優れる。
【００３６】
（実施の形態２）
図６（ａ）は実施の形態２における路面補修方法のオーバーレイ舗装工程後の状態を示す断面模式図であり、図６（ｂ）は実施の形態２における路面補修方法の円形カッター位置決め工程後の状態を示す断面模式図であり、図６（ｃ）は実施の形態２における路面補修方法の外周部舗装切断除去工程後の状態を示す断面模式図であり、図７（ａ）は実施の形態２における路面補修方法の受枠設置工程後の状態を示す断面模式図であり、図７（ｂ）は実施の形態２における路面補修方法の受枠外周舗装工程後の状態を示す断面模式図である。尚、実施の形態１と同様のものは、同じ符号を付して説明を省略する。
図６（ａ）中、１１ａは補修を行う既存舗装材４及びマンホール１の蓋２２の上にオーバーレイ舗装された舗装材、２０は既設のマンホール１の調整コンクリート、２１は既存のマンホール１の受枠、２２は既設のマンホール１の蓋、２３は蓋２２の中央部上面に着脱自在に配設された中心位置決め具、２４は中心位置決め具２３の円形カッター案内部、２４ａは円形カッター案内部２４に形設された雌ねじ部、２５は円形カッター案内部２４の上端部で雌ねじ部２４ａに螺着された中心位置決め具２３の磁石部である。
まず、位置決め具固定工程において、補修を行う路面に設置されたマンホール１の蓋２２の中央部に中心位置決め具２３を固定する。中心位置決め具２３は、マンホール１の蓋２に着脱自在に固定できるものであればよく、円形カッター案内部２４の底部に固定用磁石を配設して蓋２２に磁着してもよいし、両面テープで貼着してもよい。
次に、オーバーレイ舗装工程において、蓋２２上及びマンホール１周辺の既存舗装材４の表面から舗装材１１ａでオーバーレイ舗装を行う。
【００３７】
図６（ｂ）中、１２ａは中心位置決め具２３の円形カッター案内部２４周辺の舗装材１１ａを除去した後の中心部舗装除去孔、２４ｂは円形カッター案内部２４に螺着された円筒状の延長部材である。
オーバーレイ舗装工程の終了後、マンホール位置検出工程において、金属探知器により蓋２２が覆設されたマンホール１の位置を検出した後、中心位置検出工程において、磁気探知機により磁石部２５を有する中心位置決め具２３が配設された蓋２２の中心位置を検出する。
円形カッター案内部２４に雌ねじ部２４ａが形設されているので、舗装材１１ａの厚さに応じて長さの異なる延長部材２４ｂを取り付けることにより、磁石部２５の高さ方向の位置を調整して磁石部２５の検出精度を確保でき、施工性、汎用性に優れる。
尚、蓋２２が磁気を帯びることにより、磁石部２５の位置を正確に検出することが困難になる場合は、円形カッター案内部２４の固定に固定用磁石を用いないようにし、円形カッター案内部２４を非磁性体で形成するか、磁石部２５と円形カッター案内部２４の間や円形カッター案内部２４と蓋２２の間に合成樹脂製のシートや金属板などで形成された非磁性体を挟むことが好ましい。
【００３８】
次に、中心部舗装除去工程において、円形カッター案内部２４周辺の舗装材１１ａを除去する。
次に、案内高さ調整工程において、中心位置決め具２３の磁石部２５を円形カッター案内部２４から取り外し、代わりに円筒状の延長部材２４ｂを螺着する。
次に、円形カッター位置決め工程において、円形カッター３０の回動中心固定部３２ａを延長部材２４ｂに内挿して回動自在に支持する。
円形カッター案内部２４に雌ねじ部２４ａが形設されているので、舗装材１１ａの厚さに応じて長さの異なる延長部材２４ｂを取り付けることにより、円形カッター３０の回動中心固定部３２ａを確実に支持することができ、汎用性に優れる。
【００３９】
図６（ｃ）中、４ｂはマンホール１外周部の舗装材１１ａや既存舗装材４及び既設の受枠２１などを除去した後の受枠撤去孔である。
円形カッター位置決め工程の終了後、受枠除去工程において、円形カッター案内部２４を中心に円形カッター３０を回転させ、マンホール１外周部の舗装材１１ａを切断して舗装材１１ａ、既存舗装材４及び蓋２２、受枠２１、調整コンクリート２０を除去する。
【００４０】
図７（ａ）中、２０ａはコンクリートブロック２の上面に配設された環状の調整コンクリート、２１ａは調整コンクリート２０ａの上部に樹脂モルタルや無収縮モルタル等で舗装材１１ａの表面と面一になるように高さ調整されて配設された新しい受枠である。
受枠除去工程の終了後、受枠設置工程において、コンクリートブロック２の上面に環状の調整コンクリート２０ａを配設した後、調整コンクリート２０ａの上部に樹脂モルタルや無収縮モルタル等で高さ調整を行い、舗装材１１ａの表面と面一になるように新しい受枠２１を配設する。
【００４１】
図７（ｂ）中、２２ａは受枠２１ａに覆設された新しい蓋である。
受枠設置工程の終了後、受枠外周舗装工程において、受枠撤去孔４ｂ内の調整コンクリート２０ａや受枠２１ａの外周部に路盤材や舗装材などの補修材１５を充填、転圧し、周辺の舗装材１１ａと一体化させて路面の補修作業が完了する。
【００４２】
実施の形態２の路面補修方法は以上のように構成されているので、以下の作用が得られる。
（１）補修を行なうマンホール１の蓋２２の中央部上面に円形カッター案内部２４と円形カッター案内部２４の上端部に着脱自在に配設された磁石部２５とを有する中心位置決め具２３を着脱自在に固定する位置決め具固定工程を有することにより、後工程の中心位置検出工程において磁気探知機で磁石部２５を有する中心位置決め具２３が配設された蓋２２の中心位置を簡便かつ正確に検出することができ、施工性に優れる。
（２）中心部舗装除去工程により、中心位置決め具２３の円形カッター案内部２４周辺の舗装材１１ａを除去することができ、後工程の円形カッター位置決め工程において、中心位置決め具２３の磁石部２５を取り外し、円形カッター３０の回動中心固定部３２ａを円形カッター案内部２４に回動自在に支持することができるので、位置ずれを発生させることなく、円形カッター案内部２４で確実に円形カッター３０を案内することができ、受枠除去工程において、既設のマンホール外周部の舗装材１１ａを確実に切断し、既存舗装材４や既設の受枠２１、調整コンクリート２０などを除去することができ、信頼性に優れる。
（３）位置決め具固定工程で用いる中心位置決め具２３を既存のマンホール１の蓋２２に着脱自在に固定することができるので、既存のマンホール１の蓋２２に改造を施すことなく、そのまま利用することができ、省資源性、施工性に優れる。
（４）中心位置検出工程の前工程として、金属探知器により蓋２２が覆設されたマンホール１の位置を検出するマンホール位置検出工程を有することにより、マンホール位置検出工程でおおよその蓋２２の位置を検出した上で、中心位置検出工程を行うことができるので、磁気探知機による探査範囲を絞り込むことができ、中心位置検出工程に要する時間を大幅に短縮することができ、施工性に優れる。
（５）オーバーレイ舗装された舗装材１１ａの厚さが薄く、円形カッター案内部２４に十分な長さがない場合でも、中心部舗装除去工程の後に案内高さ調整工程を行って延長部材２４ｂを装着することにより、円形カッター位置決め工程において、円形カッター３０の回動中心固定部３２ａを確実に案内することができ、施工性、汎用性に優れる。
【産業上の利用可能性】
【００４３】
本発明は、道路に設置されたマンホールや情報ボックス等の鉄蓋や受枠の交換時或いは受枠の高さ調整時などにおける既設の舗装の打ち換えを行う際に、一旦、オーバーレイ舗装によって覆われるマンホールや情報ボックス等の中心位置を簡便かつ確実に検出すると共に、円形カッターを案内して受枠周囲の舗装の切断、舗装を効率的に行うことができる施工性、汎用性に優れた路面補修方法の提供を行うことができ、舗装道路におけるマンホールや情報ボックス等の蓋や受枠の交換時に好適に用いることができる。
【図面の簡単な説明】
【００４４】
【図１】（ａ）実施の形態１における路面補修方法の受枠除去工程後の状態を示す断面模式図（ｂ）実施の形態１における路面補修方法の切削オーバーレイ舗装工程の仮復旧材充填工程後の状態を示す断面模式図（ｃ）実施の形態１における路面補修方法の切削オーバーレイ舗装工程の切削工程後の状態を示す断面模式図
【図２】（ａ）実施の形態１における路面補修方法の切削オーバーレイ舗装工程のオーバーレイ舗装工程後の状態を示す断面模式図（ｂ）実施の形態１における路面補修方法の円形カッター位置決め工程後の状態を示す断面模式図
【図３】（ａ）実施の形態１における路面補修方法の外周部舗装切断除去工程後の状態を示す断面模式図（ｂ）実施の形態１における路面補修方法の受枠設置工程後の状態を示す断面模式図（ｃ）実施の形態１における路面補修方法の受枠外周舗装工程後の状態を示す断面模式図
【図４】実施の形態１における路面補修方法で用いる仮蓋の第１の変形例を示す断面模式図
【図５】（ａ）実施の形態１における路面補修方法で用いる仮蓋の第２の変形例を示す平面模式図（ｂ）図４（ａ）のＡ−Ａ線矢視端面図
【図６】（ａ）実施の形態２における路面補修方法のオーバーレイ舗装工程後の状態を示す断面模式図（ｂ）実施の形態２における路面補修方法の円形カッター位置決め工程後の状態を示す断面模式図（ｃ）実施の形態２における路面補修方法の外周部舗装切断除去工程後の状態を示す断面模式図
【図７】（ａ）実施の形態２における路面補修方法の受枠設置工程後の状態を示す断面模式図（ｂ）実施の形態２における路面補修方法の受枠外周舗装工程後の状態を示す断面模式図
【符号の説明】
【００４５】
１  マンホール
１ａ  開口部
２  コンクリートブロック
３  路盤部
４  既存舗装材
４ａ，４ｂ  受枠撤去孔
５，５ａ，５ｂ  仮蓋
６  基板部
６ａ  把手取付部
６ｂ  着脱式把手部
６ｃ  把手部
７，２４  円形カッター案内部
７ａ  嵌合孔
８，２５  磁石部
９，９ａ  マーカ
１０  仮復旧材
１０ａ  外周部舗装除去孔
１１，１１ａ  舗装材
１２，１２ａ  中心部舗装除去孔
１３，２０，２０ａ  調整コンクリート
１４，２１，２１ａ  受枠
１５  補修材
１６，２２，２２ａ  蓋
２３  中心位置決め具
２４ａ  雌ねじ部
２４ｂ  延長部材
３０  円形カッター
３１  回転刃
３２  アーム部
３２ａ  回動中心固定部
【図１】
0004981629.tif 000002
【図２】
0004981629.tif 000003
【図３】
0004981629.tif 000004
【図４】
0004981629.tif 000005
【図５】
0004981629.tif 000006
【図６】
0004981629.tif 000007
【図７】
0004981629.tif 000008